(57)【要約】【課題】海底ケーブル揚陸点付近に設置された管路内に海底ケーブルを布設する際のケーブル引き込み張力を低減化し、長さが長い管路内に海底ケーブルを容易に施工できるようにすること。【解決手段】海底ケーブル揚陸部付近に、陸上から海中に掛けて予め横穴が掘られ、横穴内に管路１が設置される。管路１内に海底ケーブル２を布設するには、布設船から海底ケーブルを海中に繰り出し、陸上でウインチ等で海底ケーブルに接続されたプーリングワイヤーを巻き上げ、海底ケーブル１を管路１内に引き込む。その際、海底ケーブル２の最外装に、比重が１より小さい管状体を取り付けてケーブル水中重量を軽減あるいは中性浮力とする。これにより、揚陸時の引き込み張力を低減化することができこれまで施工不可能な長さの管路への施工も可能となる。【選択図】          図１
2009213279.tif 000002
【特許請求の範囲】
【請求項１】
海底ケーブル揚陸点付近に設置された管路内に海底ケーブルを布設する海底ケーブルの布設方法であって、
管路内に布設される区間の海底ケーブルに、比重が１より小さい管状体を取り付けてケーブル水中重量を軽減あるいは中性浮力として、上記管路内に引き込む
ことを特徴とする海底ケーブルの布設方法。
【請求項２】
上記比重が１より軽い管状体は、ケーブルを敷設船から水中に送り出す際に、海底ケーブルの外装に取り付けられる
ことを特徴とする請求項１に記載の海底ケーブルの布設方法。
【請求項３】
上記比重が１より軽い材料にて構成される管状体は、一対の半割の部材で構成され、該半割の部材を上記海底ケーブルの外装に装着し、バンドで縛り固定する
ことを特徴とする請求項２に記載の海底ケーブルの布設方法。
【請求項４】
端部の水中重量が中央部に比べて、軽減されていること
を特徴とする海底ケーブル。
【請求項５】
端部の水中重量が中性浮力とされている
ことを特徴とする請求項４に記載の海底ケーブル。
【請求項６】
海底ケーブル揚陸点付近に設けられた管路内に布設される海底ケーブルであって、
海底に布設されるケーブルの最外装に、水中においてケーブルに浮力を与えて、その水中重量を軽減あるいは中性浮力とするため、上記比重が１より軽い材料から形成された管状体を取り付けた
ことを特徴とする海底ケーブル。
【発明の詳細な説明】
【技術分野】
【０００１】
本発明は、渚部に設けられた管路に海底ケーブルを引き込んで布設する海底ケーブルの布設方法及びこのような揚陸点付近に布設される海底ケーブルに関する。
【背景技術】
【０００２】
珊瑚海域で海底ケーブルを布設する際、従来においては珊瑚礁を破砕して、ケーブル布設用トレンチを掘削する方法がとられることがあったが、近年では環境保護のため、掘削工法は同意・許可をとるのが困難になってきている。また、荒天により掘削したトレンチが埋め戻ると、トレンチを浚えるため、追加費用が発生する可能性もある。
そこで、珊瑚海域等の水深の浅い陸揚点付近に海底ケーブルの布設する場合には、海底面を損傷させないように、事前に海底面に横穴を掘削し、横穴に合成樹脂、金属などで形成された管路を設置し、この管路内にケーブルを引き込んで布設することが行われている（例えば特許文献１の図３等参照）。このようにすれば、珊瑚礁を破壊せずにケーブルの揚陸が可能となり、環境破壊を防止することができる。
【０００３】
【特許文献１】特開２００２−１００２４４
【発明の開示】
【発明が解決しようとする課題】
【０００４】
上記のように珊瑚海域等においては、事前に海底面に管路を設置し、この管路内にケーブルを引き込んで布設することが行われていたが、管路長が長いと、ケーブルと管路内面の摩擦抵抗により、引き込み張力が過大となり、ケーブルの揚陸ができないといった問題が生じていた。このように管路内にケーブルを引き込んで布設する場合、従来方法では管路長が５００ｍ程度が限界であった。
本発明は上記従来技術の問題点を解決するためになされたものであって、本発明の目的は、海底ケーブル揚陸点付近に設置された管路内に海底ケーブルを布設する際の、ケーブル引き込み張力を低減化し、長さが長い管路内に海底ケーブルを容易に施工できるようにすることである。
【課題を解決するための手段】
【０００５】
本発明においては、上記課題を次のように解決する。
（１）海底ケーブル揚陸点付近に設置された管路内に海底ケーブルを布設するに際し、管路内に布設される区間の海底ケーブルに、比重が１より小さい管状体を取り付けてケーブル水中重量を軽減あるいは中性浮力として、上記管路内に引き込む。
（２）上記（１）において、海底ケーブルの最外装に取り付けられる管状体を比重が１より軽い材料にて構成し、ケーブルを敷設船から水中に送り出す際に、海底ケーブルの外装に取り付ける。
（３）上記比重が１より軽い材料にて構成される管状体を、一対の半割の部材で構成し、該半割の部材を上記海底ケーブルの外装に装着し、バンドで縛り固定する。
【発明の効果】
【０００６】
本発明においては、管路内に布設される区間の海底ケーブルに、比重が１より小さい管状体を取り付けてケーブル水中重量を軽減あるいは中性浮力として、揚陸点付近に設置された管路内に引き込むようにしたので、揚陸時の引き込み張力を低減化することができる。このため、これまで施工不可能な長さの管路への施工も可能となる。
【発明を実施するための最良の形態】
【０００７】
図１は本発明の実施例を示す図であり、珊瑚海域等における海底ケーブルの揚陸部付近の海底ケーブルの布設状況を示す図である。
同図において、１０は陸上、２０は海中であり、海底ケーブル揚陸部付近には、陸上から海中に掛けて予め横穴が掘られ、横穴内に管路１が設置され、管路１内に海底ケーブル２が布設される。なお、管路１の陸上側の端部には、例えばマンホールＭＨが設けられ、また、管路１の海中側の出口は波浪の影響が小さくなるところに設けられる。
図２は上記海底ケーブルの一例を示す図であり、図２（ａ）は通常構造の海底ケーブルの一例を示し、図２（ｂ）は上記管路１内に設置される際の海底ケーブルの状態を示している。
【０００８】
海底ケーブル２は、例えば図２（ａ）に示すように、コア２ａ内に複数（３本）の絶縁電線２ｂを入れて、電線２ｂの間に絶縁体２ｃを設け、コア２ａの外側に撚り合わせた鉄線、ＦＲＰ線の鎧装２ｄを設けたものである。
図１の管路１外の海中に布設される海底ケーブルは、図２（ａ）に示す通常構造の海底ケーブルであるが、管路１内に布設される海底ケーブル２には、図２（ｂ）に示すように、鎧装２ｄの上に比重が１より小さい発泡フォームなどで形成された管状体３が取り付けられる。これにより、この海底ケーブルの端部の水中重量は中央部に比べて、軽減されている。なお、海底ケーブルの構造は上記に限定されるものではなく、その他の構造であってもよい。例えば、発泡フォーム製の管状体３の周囲に保護管を被せても良い。
【０００９】
図３は、上記管路１内の海底ケーブル２の周囲に装着される発泡フォーム等で形成された管状体の一例を示す図であり、同図（ａ）は上面図、（ｂ）は側面図である。
海底ケーブル２の周囲に装着される管状体は、図３に示すように、半割りの管状体３ａから構成され、半割りの管状体３ａには、ステンレス等で形成されたバンドを取り付けるための溝部３ｂと、該バンドを固定するためのクリップが置かれる固定クリップ座３ｃが形成されている。
管状体３の内径ΦＡは装着される海底ケーブルの外径に合わせて形成され、外径ΦＢは、海底ケーブルに装着したときの比重が略１で、水中において中性浮力となるような大きさ（海底ケーブルとその周囲に取り付けられる管状体とをあわせたものの水中における重量が略０となるような大きさ）に選定される。
【００１０】
上記半割りの管状体３ａは、海底ケーブルを揚陸部付近に形成された管路内に布設するため、布設船から海底ケーブルを水中に送り出す際に、図４（ａ）（ｂ）に示すように、２つ合わせて海底ケーブル２の周囲に装着されバンド４を上記溝部３ｂに取り付けて、バンド４に付属する固定クリップ４ａで固定される。
上記バンド４および固定クリップ４ａは、上記溝部３ｂ、固定クリップ座３ｃに収まるので、管状体３の周囲に飛び出さず、管路１内でもスムーズに移動できる。
上記管状体３の連結は、図４（ｂ）に示すように、結束済みの管状体３−１の端部Ａ部に、新たに連結する２つの半割りの管状体３−２の端部Ｂ部を噛み合わせ、バンド４で結束していくことにより行なわれる。
【００１１】
なお、管路中の海底ケーブルを必ずしも中性浮力にする必要はなく、要は水中重量が軽減され、管路内での引き込み張力が容易に作業できる程度に軽減されればよい。
また、上記管状体３の装着だけでは十分な浮力を得ることができない場合には、ケーブル本体の軽量化を図ってもよい。
さらに、海底ケーブルを工場で製造する際、予め海底ケーブルの長さ方向の比重を変え、引き込み端部のケーブル水中重量を軽減化し、引き込み端部以外の部分を重くなるように形成してもよい。
【００１２】
海底ケーブル揚陸点付近における上記図３、図４に示した管状体を用いたケーブルの布設は次のように行われる。
前記したように海底ケーブル揚陸部付近に、予め横穴を掘り、横穴内に管路１を設置する。管路１内には、予めプーリングワイヤーが設けられている。
通常構造の海底ケーブルを乗せた布設船を海底の管路１の海中側の端部に近い位置に停船させ、該布設船から海底ケーブルを海中に繰り出し、その先端を前記プーリングワイヤーの端部に接続する。
【００１３】
ついで、陸上でウインチ等でプーリングワイヤーを巻き上げ、海底ケーブル１を管路１内に引き込む。
その際、前記図４に示したように、布設船上で海底ケーブル２の最外装に、発泡フォームなどから形成される管状体３を取り付け、ケーブル水中重量を軽減あるいは中性浮力となるようにする。なお、中性浮力にした端部側と、中性浮力としていな中央部側との境の近傍に、浮きを取りつけて中性浮力の部分が適切な深さに位置するようにしてもよい。
本実施例によれば、海底ケーブルが中性浮力とされており、中世浮力にした部分は海中のどの深度でも留まるので、海水が入った管路に引き込む際に、管壁との摩擦が小さくなり、弱い張力でも引き込みが可能である。このため、これまで施工不可能であった長さの管路への布設も可能となる。
【図面の簡単な説明】
【００１４】
【図１】本発明の実施例の揚陸部付近の海底ケーブルの布設状況を示す図である。
【図２】通常構造の海底ケーブルと、本発明において管路内に布設される海底ケーブルの一例を示す図である。
【図３】海底ケーブルの周囲に装着される発泡フォーム等で形成された管状体の一例を示す図である。
【図４】海底ケーブルへの管状体の取りつけを説明する図である。
【符号の説明】
【００１５】
１    管路
２    海底ケーブル
３    管状体
３ａ  半割りの管状体
３ｂ  溝部
３ｃ  クリップ座３ｃ
４    バンド
１０  陸上
２０  海中
【図１】
2009213279.tif 000003
【図２】
2009213279.tif 000004
【図３】
2009213279.tif 000005
【図４】
2009213279.tif 000006